(57)【特許請求の範囲】
【請求項１】
口及び鼻先を含む顔面の対象部位を覆う本体部と、この本体部を身体に係止するための係止部とを有し、
口及び鼻先と対向する部分が、その周囲部分よりも外側に膨出する立体形状を有する立体マスクにおいて、
本体部の鼻の両脇と対向する部分が、外側層、内側層およびこれらの間に配置された圧縮復元層からなる三層構造を有し、
前記圧縮復元層は、厚さが１〜１０ｍｍであり、ＪＩＳ  Ｌ  １０９６  ８．２７．１  Ａ法により測定される、前記圧縮復元層の通気度が５０〜４００ｃｃ／ｃｍ2・ｓｅｃであり、ＪＩＳ−Ｚ−０２０８による透湿度が５０〜３００ｇ／ｍ2ｈｒである、
ことを特徴とするマスク。
【請求項２】
前記圧縮復元層の圧縮レジリエンスＲＣが５０％以上である請求項１記載のマスク。
【請求項３】
前記圧縮復元層が折り畳まれた圧縮復元性素材からなる請求項１又は２記載のマスク。
【請求項４】
前記圧縮復元層が複数層積み重ねられた圧縮復元性素材からなる請求項１又は２記載のマスク。
【発明の詳細な説明】
【技術分野】
【０００１】
本発明は、口及び鼻先を含む顔面の対象部位を覆うマスクに関するものである。
【背景技術】
【０００２】
従来、マスクとしては、ガーゼを複数枚重ねて矩形状となし、その左右両側に耳掛け用のゴム紐を環状に取り付けたものが汎用されてきた。これらは形状的には平板マスクということができるタイプである。
【０００３】
近年では、使い捨てを目的として、不織布を使用したマスクが開発されており、使用時において、口許、鼻の膨らみに追従して形状変形するもの（例えば特許文献１及び特許文献２参照）が提案され、商品化させているものもある。これらは形状的には立体マスクということができるタイプである。
【０００４】
特許文献１のものは、耳掛け部が横方向に伸長するように形成され、覆い部（本発明の本体部に実質的に該当する）は、剛性を高くし、ほとんど伸長することがないようにすることで、覆い部の膨らみを維持し、マスクを着用する際に、口許や鼻孔の周辺に比較的広い空間を確保することができて、楽に呼吸をすることができるようにしたものである。
【０００５】
この発明の利点は大きいものの、人には各様の顔面骨格（プロフィール及び大小）を有しており、単に横方向（口及び鼻から耳にかけての方向を言う。これに対し、縦方向は横方向に直交する方向を言う。）の伸縮性をもたせるだけで、マスクとしての汎用性を確保することは困難である。
【０００６】
特に、鼻の両脇と対向する部分は、鼻梁及び鼻翼の突出によって隙間を生じやすく、花粉やウイルスの侵入を防止し難いという問題点がある。また、このような隙間があると、呼吸に伴って口や鼻から排出された湿気が、上端部から外部に排出されるようになるため、眼鏡着用者においては眼鏡が曇るという問題点もある。
【特許文献１】特許３６６００３６号公報
【特許文献２】特開２００４‐４９３５６号公報
【発明の開示】
【発明が解決しようとする課題】
【０００７】
そこで、本発明の主たる課題は、顔面に対するフィット性に優れたマスクを提供することにある。
【課題を解決するための手段】
【０００８】
上記課題を解決した本発明は次記のとおりである。
＜請求項１記載の発明＞
口及び鼻先を含む顔面の対象部位を覆う本体部と、この本体部を身体に係止するための係止部とを有し、
口及び鼻先と対向する部分が、その周囲部分よりも外側に膨出する立体形状を有する立体マスクにおいて、
本体部の鼻の両脇と対向する部分が、外側層、内側層およびこれらの間に配置された圧縮復元層からなる三層構造を有し、
前記圧縮復元層は、厚さが１〜１０ｍｍであり、ＪＩＳ  Ｌ  １０９６  ８．２７．１  Ａ法により測定される、前記圧縮復元層の通気度が５０〜４００ｃｃ／ｃｍ2・ｓｅｃであり、ＪＩＳ−Ｚ−０２０８による透湿度が５０〜３００ｇ／ｍ2ｈｒである、
ことを特徴とするマスク。
【０００９】
（作用効果）
本発明では、圧縮復元層を有することにより、顔面形状に追従して厚さが変化するため、顔面に対するフィット性に優れたものとなる。また、圧縮復元層は外側層と内側層との間に配置されるため、圧縮復元層が外面や内面に露出する場合と異なり、外観や肌触りの悪化を防止しつつフィット性を向上できる。特に、圧縮復元層を不織布等の繊維集合体により形成する場合には嵩高な素材を使用することになるが、このような素材は肌触りが悪くなりやすいため、本発明の三層構造を採用することによる利益が大きい。なお、本明細書で使用する「フィット性」は肌全体に密着することを意味するのではなく、マスクとして密着が必要な部位においては密着し、内部に呼吸に必要な空間を確保しながら、顔面に対して良好に追従することを意味するのである。
特に立体マスクは、特に鼻周りにおけるフィット性に乏しいため、本発明を適用するのに向いているものである。
【００１０】
【００１１】
また、鼻の両脇と対向する部分は、鼻梁及び鼻翼の突出によって隙間を生じやすいため、この部分に本発明の三層構造を設けるのは好ましい。フィット性の向上により、隙間が発生し難くなり、花粉やウイルス等の異物侵入を効果的に防止できるだけでなく、眼鏡着用者にあっては眼鏡の曇りも抑制できるようになる。
【００１２】
＜請求項２記載の発明＞
前記圧縮復元層の圧縮レジリエンスＲＣが５０％以上である請求項１記載のマスク。
【００１３】
（作用効果）
圧縮レジリエンスＲＣがこの範囲内にあると、顔面凹凸に対する形状追従性が十分に発揮され、特にフィット性に優れたものとなる。なお、圧縮レジリエンス（ＲＣ）とは、素材が圧縮されたときの回復性を表すパラメータであり、回復性がよければ、圧縮レジリエンスが大きくなる。この圧縮レジリエンスは、ハンディー圧縮試験機（ＫＥＳ−Ｇ５、カトーテック社製）によって測定することができる。この試験機による場合の測定条件は、ＳＥＮＳ：２、力計の種類：１ｋｇ、ＳＰＥＥＤ  ＲＡＮＧＥ：ＳＴＤ、ＤＥＦ感度：２０、加圧面積：２ｃｍ2、取り込間隔：０．１（標準）、ＳＴＲＯＫＥ  ＳＥＴ：５．０、上限荷重：５０ｇｆ／ｃｍ2である。
【００１４】
＜請求項３記載の発明＞
前記圧縮復元層が折り畳まれた圧縮復元性素材からなる請求項１又は２記載のマスク。
＜請求項４記載の発明＞
前記圧縮復元層が複数層積み重ねられた圧縮復元性素材からなる請求項１又は２記載のマスク。
【００１５】
（作用効果）
本項記載のように素材を折り畳んで形成された圧縮復元層はバネのようになるため、厚く、復元性に優れるようになる。また、素材を複数層積み重ねても、先述の折り畳んだ場合よりは復元性は弱まるものの、厚みの点では確保できるので、本発明に適用することができる。
【００１６】
【００１７】
【発明の効果】
【００１８】
以上のとおり、本発明によれば、顔面に対するフィット性に優れたマスクとなる。
【発明を実施するための最良の形態】
【００１９】
以下、本発明の一実施形態について添付図面を参照しながら詳説する。
（第１の実施の形態）
図１〜図３は、立体マスクの第１の実施の形態を示したもので、口及び鼻先を含む顔面の対象部位を覆う本体部１０と、耳に掛け止めるための孔を有する係止部２０とを備えている。図１は接合加工前の展開状態を示したもので、図面の左右方向が横方向、上下方向が縦方向である。本体部１０の上部には谷状の切欠部が形成され、その谷に沿う部分Ｂにおいて、超音波接合や熱溶着により接合され、図３に示すように、口及び鼻先と対向する部分がその周囲部分よりも外側に膨出する立体形状を有する立体マスクとされる。なお、この立体形状は、立体的な寸法関係のみにより形成されるものであり、素材の伸縮やプリーツ等の伸縮構造を要せずに立体となるものである。
【００２０】
ただし、本発明は立体化手段に限定されるものではない。図示例では、立体マスクとするために、中央部分の上部で縦方向に接合する形態を採ったが、接合部は２以上でもよいし、横方向に接合するようにしてもよい。その他、適宜の方法を採ることができる。
【００２１】
本第１の実施形態では、外側層３０により本体部１０及び係止部２０を含むマスク全体形状を形成し、本体部１０の内面側全体を覆うように肌と接触する内側層５０を設け、この内側層５０と外側層３０との間における、鼻の両脇と対向する本体部上縁部に全体にわたり圧縮復元層４０を介在させている。
【００２２】
この圧縮復元層４０を内包する三層構造の部位は適宜定めれば良いが、本体部１０の遮断性を高めるために、周縁部の一箇所、複数箇所または全部に設けることができる。またこの三層構造の部位は、本体部１０の全体としたり、本体部１０のみならず係止部２０の一部（係止部２０の周縁部の一箇所、複数箇所または全部）あるいは全部としたりすることができる。
【００２３】
圧縮復元層４０は、不織布や発泡素材等の圧縮復元性素材により形成することができる。不織布としては、メルトブローン、スパンボンド、エアスルー、ポイントボンド、ニードルパンチ、スパンレース等の製造方法から得られる不織布を用いることができる。また、発泡素材としては、ポリウレタン等を用いることができる。
【００２４】
圧縮復元層４０の厚さは適宜定めることができるが、好ましくは１〜１０ｍｍであり、さらに好ましくは１．５〜５．０ｍｍである。過度に厚くなると違和感を生じやすく、過度に薄くなると圧縮復元量が少なくなるため、形状追従性に乏しくなる。
【００２５】
圧縮復元層４０の通気度（ＪＩＳ  Ｌ  １０９６  ８．２７．１  Ａ法）が５０〜４００ｃｃ／ｃｍ2・ｓｅｃであるのが好ましく、特に５０〜３５０ｃｃ／ｃｍ2ｓｅｃであるのが好ましい。通気度が過度に低いと息苦しさを生じ易く、通気度が高すぎると遮断すべきものも透過させてしまうおそれがある。
【００２６】
圧縮復元層４０の透湿度（ＪＩＳ−Ｚ−０２０８）は５０〜３００ｇ／ｍ2ｈｒであるのが好ましく、特に１００〜２００ｇ／ｍ2ｈｒであるのが好ましい。透湿度が過度に低いと、マスク内が蒸れ易くなり、通気度が高すぎるとメガネ曇り防止効果が低下する。
【００２７】
圧縮復元層４０において、より厚い層を形成するため、素材を複数枚積層することができる。また、より厚い層を形成するだけでなく、より高い圧縮復元性を得るために、図４に示すように、折り畳まれた圧縮復元性素材により圧縮復元層４０を構成することができる。折り畳み回数は特に限定されるものではなく、二つ折でも、三つ折（Ｚ字折）でも、それ以上でも良い。
【００２８】
圧縮復元層４０の圧縮復元性能は適宜設計すれば良いが、圧縮レジリエンスＲＣが５０％以上、特に６０％以上であるのが好ましい。圧縮復元性が低すぎると、厚さの割に形状追従性、すなわちフィット性に劣るものとなる。
【００２９】
他方、外側層３０としては、メルトブローン、スパンボンド、エアスルー、ポイントボンド、ニードルパンチ、スパンレース等の製造方法で得られる各種の不織布を好適に用いることができる。また、積層不織布間に極細の糸ゴムを縦横に介在させて、縦及び横方向に伸縮性を付与することもできる。さらに、伸縮性のある不織布を使用することもでき、この具体例としてはポリエーテル系、ポリエステル系、ポリカーボネート系グリコール等をブロック共重合したポリエステル系共重合体、ポリアミド系、ポリウレタン系エラストマー、及びこれらと不織布の積層体などを挙げることができる。伸縮性を有する素材は、係止部２０に用いるのに適しているが、本体部１０に用いることもできる。
【００３０】
内側層５０としては、メルトブローン、スパンボンド、エアスルー、ポイントボンド、ニードルパンチ、スパンレース等の製造方法で得られる各種の不織布を好適に用いることができる。内側層５０は、通気性であって、肌に刺激を与えない材料が好ましいため、特にメルトブローン不織布が望ましい。内側層５０として化繊混抄紙も用いることができる。化繊混抄紙の具体例としては、ＰＥ／ＰＥＴバイコンポーネント繊維３５％及びパルプ繊維３５％の配合を有するものを挙げることができる。また、内側層５０としては、孔開きプラスチックフィルムを使用して通気性を確保することもできる。孔開きプラスチックフィルムは公知の形成方法によって得ることができる。たとえば、熱可塑性フィルムをパーフォレーションまたは熱プレス等により開孔したフィルム、もしくはこれと不織布とを複合シートとしたものが挙げられる。フィルムの少なくとも内面に親水処理がなされているのが望ましい。親水化処理のための手段に限定はないが、たとえばモノオレフィン酸グリセリンやモノラウリン酸ソルビタンをフィルム内面に塗布するのが望ましい。外面（大気側）も親水処理されていてもよい。
【００３１】
隣接する各層３０，４０，５０は、超音波接合や熱溶着、接着剤による接着等により接合するのが望ましい。製造に際しては、例えば外側層素材上に圧縮復元層素材及び内側層素材を順に積み重ねて接合した後、上縁、下縁および耳掛け孔等を打ち抜き、さらにその後に横方向中央で折り畳んで谷状切欠部に沿う部分Ｂを接合することができる。
【００３２】
（第２の実施の形態）
図５及び図６は、第２の実施形態を示しており、圧縮復元層４０の周囲で内側層５０と外側層３０とを接合してなるものである。この接合部Ｃは、超音波接合や熱溶着、接着剤による接着等により達成できる。この圧縮復元層４０周囲の接合Ｃは、図示のように周方向に連続し環状をなしているのが好ましいが、部分的、例えば点線状であっても良い。要は、圧縮復元層４０が外側層３０及び内側層間に拘束され、不用意に移動しない程度であれば良い。
【００３３】
また、この圧縮復元層４０周囲の接合Ｃは、図示のように、立体形状とするための接合を兼ねて形成することができる。この場合、立体形状とするための接合を兼ねる接合Ｃについては、他の接合部Ｃとは別工程で接合することができる。
【００３４】
本第２の実施形態では、圧縮復元層４０は接合部Ｃにより囲まれ拘束されているため、隣接層３０，５０に対して接合しなくても良く、圧縮復元層４０として熱融着等し難い素材であっても用いることができる利点がある。その他は、第１の実施形態と同様である。
【００３５】
（第３の実施の形態）
図７及び図８は、鼻の両脇と対向する部分それぞれに、各一つの圧縮復元層４０，４０を設けた形態である。このように、圧縮復元層４０は必要に応じて複数設けることができる。その他は、第２の実施形態と同様である。
【００３６】
（第４の実施の形態）
図９及び図１０は、第２の実施形態を基本に、圧縮復元層４０を矩形状とし、圧縮復元層４０を取り囲む内側層・外側層間の接合部Ｂを直線状とし、ライン製造における切断、配置及び接合を容易にしたものである。また、圧縮復元層４０周囲の接合Ｃは、立体形状とするための接合Ｂとは別に形成されている。その他は、第２の実施形態と同様である。
【００３７】
また、図１１及び図１２は、第３の実施形態を基本に、各圧縮復元層を矩形状とし、圧縮復元層を取り囲む内側層・外側層間の接合部を直線状とし、ライン製造における切断、配置及び接合を容易にしたものである。また、圧縮復元層４０周囲の接合Ｃは、立体形状とするための接合Ｂとは別に形成されている。その他は、第３の実施形態と同様である。
【００３８】
（第５の実施の形態）
図１３及び図１４に示すように、フィット性を高める部分よりも広い範囲に圧縮復元性素材を配置するとともに、この圧縮復元性素材のうちフィット性を高める部分４０を除いて、圧縮状態で且つ復元しない状態に加工する形態も提案される。この加工により、加工部では外側層３０及び内側層５０間に非復元性部分４１（復元性を有しないため圧縮復元層ではない）が形成され、非加工部では外側層３０及び内側層５０間に圧縮復元層部分４０が形成される。
【００３９】
加工方法としては、素材が熱融着性を有する場合は超音波接合や熱溶着等のように素材を圧縮しつつ加熱する加工方法を利用できるが、素材が熱融着性を有しない場合等、必要に応じて素材を圧縮しつつ接着剤により接着する加工方法を採用することもできる。この加工は、圧縮復元性素材単体の状態で施すことも、また圧縮復元性素材と外側層３０および内側層５０の少なくとも一方とを積層した後の状態で施すことも可能である。
【００４０】
圧縮復元層部分４０及び非復元性部分４１の部位は適宜定めることができる。図示例では、鼻の両脇と対向する本体部上縁部及びその下側部分全体にわたり圧縮復元性素材を配置するとともに、前者の部位には加工を施さずに圧縮復元層部分４０を設け、後者の部位に加工を施し非復元性部分４１を形成している。よって、圧縮復元層４０の形成領域は、第１の実施形態と同様となっている。もちろん、他の部位に圧縮復元層４０を形成したり、複数箇所に圧縮復元層４０を設けたりする場合にも、本形態を適用できる。
【００４１】
（第６の実施の形態）
上記各形態において、図１５に示すように、本体部１０に対して、係止部２０、２０を別部材とすることができる。本体部１０と係止部２０、２０との連結は、接着剤などのほか、好適には超音波接合や熱溶着により接合部Ｄを形成することができる。
【産業上の利用可能性】
【００４２】
本発明は、花粉症等におけるアレルゲンの遮断や、風邪等における感染防止を目的として、鼻や口を覆うマスクの他、広範な用途に適用できるものである。
【図面の簡単な説明】
【００４３】
【図１】第１の実施形態の接合加工前の展開図である。
【図２】図１のＹ−Ｙ断面図である。
【図３】装着状態の概要説明図である。
【図４】圧縮復元層の他の形態を示す断面図である。
【図５】第２の実施形態の接合加工前の展開図である。
【図６】図５のＸ−Ｘ断面図である。
【図７】第３の実施形態の接合加工前の展開図である。
【図８】図７のＸ−Ｘ断面図である。
【図９】第４の実施形態の接合加工前の展開図である。
【図１０】図９のＸ−Ｘ断面図である。
【図１１】別の第４の実施形態の接合加工前の展開図である。
【図１２】図１１のＸ−Ｘ断面図である。
【図１３】第５の実施形態の接合加工前の展開図である。
【図１４】図１３のＹ−Ｙ断面図である。
【図１５】本体部と耳掛け部とを別体にした第６の実施形態の展開図である。
【符号の説明】
【００４４】
１０…本体部、２０…係止部、３０…内側層、４０…圧縮復元層、５０…外側層、Ｂ，Ｃ，Ｄ…接合部。
【図１】
0004594181.tif 000002
【図２】
0004594181.tif 000003
【図３】
0004594181.tif 000004
【図４】
0004594181.tif 000005
【図５】
0004594181.tif 000006
【図６】
0004594181.tif 000007
【図７】
0004594181.tif 000008
【図８】
0004594181.tif 000009
【図９】
0004594181.tif 000010
【図１０】
0004594181.tif 000011
【図１１】
0004594181.tif 000012
【図１２】
0004594181.tif 000013
【図１３】
0004594181.tif 000014
【図１４】
0004594181.tif 000015
【図１５】
0004594181.tif 000016